(57)【要約】【課題】カラー表示の表示ムラを低減しつつ配線構造を簡易化できるカラー表示装置を提供し、もってカラー表示装置の小型化、表示の高精細化、表示の明るさ向上などを図る。【解決手段】本発明のカラー表示装置は、第１色（Ｂ）、第２色（Ｇ）及び第３色（Ｒ）の表示要素が所定の二次元配列パターンＣＰ１にて配列され、表示要素を制御するための対向配置された第１電極及び第２電極２１６を有し、二次元配列パターンにおいては、第１方向に向けて第１色、第２色及び第３色の表示要素が一つずつ所定順で周期的に配列され、第１方向と直交する第２方向に向けて、第１色の表示要素が配列された１組の列が設けられているとともに、第２色及び第３色の表示要素が交互に配列された２組の列が相互に半周期ずらして設けられ、第１電極は表示要素に対応して設けられた画素電極であり、第２電極は第１方向に伸びるストライプ状に構成される。【選択図】          図４
2004233523.tif 000002
【特許請求の範囲】
【請求項１】
第１色、第２色及び第３色の表示要素が所定の二次元配列パターンにて配列され、前記表示要素を制御するための対向配置された第１電極及び第２電極を有するカラー表示装置において、
前記二次元配列パターンにおいては、第１方向に向けて前記第１色、第２色及び第３色の前記表示要素が一つずつ所定順で周期的に配列され、
前記第１方向と直交する第２方向に向けて、前記第１色の表示要素が配列された１組の列が設けられているとともに、前記第２色及び第３色の表示要素が交互に配列された２組の列が相互に半周期ずらして設けられ、
前記第１電極は前記表示要素に対応して設けられた画素電極であり、前記第２電極は前記第１方向に伸びるストライプ状に構成される
ことを特徴とするカラー表示装置。
【請求項２】
前記第１色はＢ（青）であり、第２色及び第３色の一方はＧ（緑）、他方はＲ（赤）であることを特徴とする請求項１に記載のカラー表示装置。
【請求項３】
第１色、第２色及び第３色の表示要素が所定の二次元配列パターンにて配列され、前記表示要素を制御するための対向配置された第１電極及び第２電極を有するカラー表示装置において、
前記二次元配列パターンにおいては、第１方向に向けて前記第１色、第２色及び第３色の前記表示要素が一つずつ所定順で周期的に配列され、
前記第１方向と直交する第２方向に向けて、前記第１色、第２色及び第３色から選ばれた２色の組み合わせ３種のそれぞれについて各組み合わせに係る２色の前記表示要素が交互に配列された３組の列が設けられ、
前記第１電極は前記表示要素に対応して設けられた画素電極であり、前記第２電極は前記第１方向に伸びるストライプ状に構成される
ことを特徴とするカラー表示装置。
【請求項４】
第１色、第２色及び第３色の表示要素が所定の二次元配列パターンにて配列され、前記表示要素を制御するための対向配置された第１電極及び第２電極を有するカラー表示装置において、
前記二次元配列パターンにおいては、第１方向に向けて前記第１色、第２色及び第３色の前記表示要素が一つずつ所定順で周期的に配列され、
前記第１方向と直交する第２方向に向けて、連続する２つの前記第１色、第２色及び第３色の前記表示要素が順次に周期的に配列された２組の列が相互に半周期ずらして設けられるとともに、前記第２色及び第３色の前記表示要素が交互に配列された１組の列が設けられ、
前記第１電極は前記表示要素に対応して設けられた画素電極であり、前記第２電極は前記第１方向に伸びるストライプ状に構成される
ことを特徴とするカラー表示装置。
【請求項５】
前記第１色はＢ（青）であり、第２色及び第３色の一方はＧ（緑）、他方はＲ（赤）であることを特徴とする請求項４に記載のカラー表示装置。
【請求項６】
前記画素電極に接続された非線形素子と、該非線形素子を介して前記画素電極に接続された前記第２方向に伸びる配線とを有することを特徴とする請求項１乃至５のいずれか一項に記載のカラー表示装置。
【請求項７】
前記被線形素子は薄膜ダイオード素子であることを特徴とする請求項６に記載のカラー表示装置。
【請求項８】
請求項１乃至７のいずれか一項に記載のカラー表示装置と、該カラー表示装置を制御する制御手段とを有することを特徴とする電子機器。
【発明の詳細な説明】
【０００１】
【発明の属する技術分野】
本発明はカラー表示装置及び電子機器に係り、特に、複数色の表示要素を所定の２次元配列パターンで配列させたカラー表示装置の構造に関する。
【０００２】
【従来の技術】
一般に、液晶表示装置においては、カラー表示を可能にするために、液晶層と重なるように複数色のフィルタ要素を配列させたカラーフィルタを用いている。また、エレクトロルミネッセンス表示装置やプラズマディスプレイ装置などの自己発光型の表示装置においては、上記のようなカラーフィルタを用いる場合も考えられるが、通常、複数種類の発光色を有する発光要素（蛍光体など）を配列させてある。
【０００３】
上記カラーフィルタのフィルタ要素が平面的に重ねられた電気光学層や発光要素などの複数種類の色を有する要素（以下、単に「表示要素」という。）は、所定の二次元配列パターンにて配列される。一般的な二次元配列パターンとしては、図１１（ａ）に示すストライプ配列ＣＰＳ、図１１（ｂ）に示すデルタ配列ＣＰＤ、或いは、図１２に示す斜めモザイク配列ＣＰＭなどが知られている。
【０００４】
図１１（ａ）に示すように、上記ストライプ配列ＣＰＳは、同色の表示要素が一直線上に配列されて全体としてストライプ状に構成されたものであり、各表示要素に対する配線の取り回しが容易であり、構造を簡易化できるとともに、文字などの直線的な表示内容をはっきりと表現できるという利点がある。
【０００５】
図１１（ｂ）に示すように、上記デルタ配列ＣＰＤは、ＲＧＢが所定周期で第１方向（図示左右方向）に配列されているとともに、第１方向と直交する第２方向（図示上下方向）に半周期ずれた状態で配列されたものであり、任意の隣接する３つの表示要素が必ずＲＢＧの組み合わせになるように構成されたものである。このデルタ配列ＣＰＤでは、同色の表示要素が直線的に配列されないために縞状の表示ムラが生じにくい。
【０００６】
図１２に示すように、上記斜めモザイク配列ＣＰＭは、ＲＧＢが第１方向（図示左右方向）と、第１方向と直交する第２方向（図示上下方向）のいずれにも共に所定周期で配列されたものである。
【０００７】
また、複数色の表示要素の二次元配列パターンとしては、Ｂ（青）の表示要素の配列周期がＲ（赤）及びＧ（緑）の表示要素の配列周期の２倍になるように構成したものが知られている。これは、Ｂの光に対する視覚の角度分解能がＲやＧの光に対する角度分解能の約半分であるという人間の視覚特性に対応させたものである。この種の二次元配列パターンとしては、配列周期そのものを上記のようにＢの周期とＲ及びＧの周期の半分に構成したものと、二次元配列周期そのものはＲ，Ｇ，Ｂで等しく構成されているが、駆動態様をＢの表示要素とＲ，Ｇの表示要素との間で異ならせることによって実質的に上記と同様の光学作用を果たすことができるように構成したものとがある（例えば、特許文献１参照）。この配列パターン或いは駆動方式では、カラー表示の解像度を相対的に高めることができるとともに、駆動回路を簡易化できるというメリットが得られる。
【０００８】
【特許文献１】
国際公開第０２／１１１１２号パンフレット（ＦＩＧ．１−４，６，８，１０，１２，１４−２０）
【０００９】
【発明が解決しようとする課題】
しかしながら、上記従来の二次元配列パターンのうち、ストライプ配列ＣＰＳは、同色の表示要素が直線状に配列されていることによって画像などを表示するときにストライプ状の表示ムラが目立つという問題点がある。また、デルタ配列ＣＰＤは、画像を表示する場合には適しているが、配列態様によって配線の取り回しが難しく、配線構造が複雑化したり、表示要素間のスペースが大きくなり表示の明るさが不足したりするという問題点がある。さらに、斜めモザイク配列ＣＰＭは斜め方向に固定ノイズが見えやすいために表示特性に問題がありあまり採用されていない。
【００１０】
一方、上記の特許文献１に記載された発明では、走査配線と信号配線は、画素毎に設けられた選択トランジスタを介して各画素電極に接続されており、その結果、液晶層の片側に走査配線と信号配線が共に配置されるため、走査配線と信号配線が交差し、配線構造が複雑化したり、表示要素間のスペースが大きくなり表示の明るさが不足したりするという問題点がある。
【００１１】
したがって、上記従来のカラー表示装置は、いずれも、携帯電話などの携帯型電子機器や液晶プロジェクタなどの投射型表示装置などに採用される小型のカラー表示装置としては、表示ムラの低減、表示の高精細化、表示の明るさの向上などを図ることが困難であるという問題点がある。
【００１２】
そこで本発明は上記問題点を解決するものであり、その課題は、カラー表示の表示ムラを低減しつつ配線構造を簡易化できるカラー表示装置を提供し、もってカラー表示装置の小型化、表示の高精細化、表示の明るさ向上などを図ることにある。
【００１３】
【課題を解決するための手段】
上記課題を解決するために本発明のカラー表示装置は、第１色、第２色及び第３色の表示要素が所定の二次元配列パターンにて配列され、前記表示要素を制御するための対向配置された第１電極及び第２電極を有するカラー表示装置において、前記二次元配列パターンにおいては、第１方向に向けて前記第１色、第２色及び第３色の前記表示要素が一つずつ所定順で周期的に配列され、前記第１方向と直交する第２方向に向けて、前記第１色の表示要素が配列された１組の列が設けられているとともに、前記第２色及び第３色の表示要素が交互に配列された２組の列が相互に半周期ずらして設けられ、前記第１電極は前記表示要素に対応して設けられた画素電極であり、前記第２電極は前記第１方向に伸びるストライプ状に構成されることを特徴とする。
【００１４】
この発明によれば、第１色乃至第３色の表示要素が周期的に配列される第１方向と直交する第２方向に向けて、第１色の表示要素が配列されるとともに、第２色及び第３色の表示要素は交互に配列されていることにより、ストライプ配列のような直線的な表示ムラを低減することができる。また、第２方向に向けて第１色の表示要素が配列されていることから第１色の表示要素に対応する第１電極に接続される導電接続経路（たとえば配線）も簡易に（たとえば直線状に）構成でき、また、第２方向に向けて第２色及び第３色の表示要素が交互に配列されていることから、第２色の表示要素に対応する第１電極に接続される導電接続経路（たとえば配線）と、第３色の表示要素に対応する第１電極に接続される導電接続経路（たとえば配線）とを各表示要素の反対側に配置することによってそれぞれ簡易に（たとえば直線状に）構成できることから、支障なく全ての表示要素に対して配線を接続することが可能になるとともに、配線の取り回し態様をストライプ配列と同様に簡易なものとすることができる。したがって、表示要素の開口率を拡大することができるため、表示の高精細化を図ることができるとともに、表示の明るさを向上できる。また、上記第１電極と対向配置される第２電極がストライプ状に構成されることによって、この第２電極そのものがもう一方の導電接続経路となるため、従来技術のように表示要素の片側に相互に交差する配線を共に配置する必要がなくなるため、さらに構造を簡易化することができる。したがって、表示要素の開口率をさらに向上させることができることから、表示の高精細化や明るさの向上をさらに図ることができる。さらに、第１乃至第３色の表示要素が一つずつ所定順となるように周期的に配置され、その配列方向である第１方向に第２電極がストライプ状に構成されていることにより、複数の第２電極が相互に等しい色構成の表示要素を駆動することになるため、第２電極に対する駆動負荷を均一化することができ、これによって導電経路の抵抗値設定の容易化や表示ムラの低減を図ることが可能になる。
【００１５】
本発明において、前記第１色はＢ（青）であり、第２色及び第３色の一方はＧ（緑）、他方はＲ（赤）であることが好ましい。これによれば、二次元配列パターンにおいて第１色の表示要素が第２方向に配列されていることにより、第２方向に見ると第１色の表示要素の形成周期は、第２色及び第３色の表示要素の形成周期よりも大きくなるが、Ｂ（青）の光に対する視覚の角度分解能は、Ｇ（緑）やＲ（赤）の光に対する角度分解能よりも大きいため、第１色の表示要素が直線状に配列されていることに起因する表示ムラが低減されるとともに、高精細化を図りやすくなる。
【００１６】
次に、本発明のカラー表示装置は、第１色、第２色及び第３色の表示要素が所定の二次元配列パターンにて配列され、前記表示要素を制御するための対向配置された第１電極及び第２電極を有するカラー表示装置において、前記二次元配列パターンにおいては、第１方向に向けて前記第１色、第２色及び第３色の前記表示要素が一つずつ所定順で周期的に配列され、前記第１方向と直交する第２方向に向けて、前記第１色、第２色及び第３色から選ばれた２色の組み合わせ３種のそれぞれについて各組み合わせに係る２色の前記表示要素が交互に配列された３組の列が設けられ、前記第１電極は前記表示要素に対応して設けられた画素電極であり、前記第２電極は前記第１方向に伸びるストライプ状に構成されることを特徴とする。
【００１７】
この発明によれば、第１色乃至第３色の表示要素が周期的に配列される第１方向と直交する第２方向に向けて、第１色と第２色の表示要素、第２色と第３色の表示要素、第３色と第１色の表示要素がそれぞれ交互に配列されていることにより、同色の表示要素が直線状に配列されることがなくなるため、ストライプ配列のような直線的な表示ムラを大幅に低減することができる。また、第２方向に向けて同色の表示要素が千鳥状（ジグザグ状）に配列されることになることから各色の表示要素に対応する第１電極に接続される導電接続経路（たとえば配線）も簡易に（たとえば直線状に）構成できるため、支障なく全ての表示要素に対して配線を接続することが可能になるとともに、配線の取り回し態様をストライプ配列と同様に簡易なものとすることができる。したがって、表示要素の開口率を拡大することができるため、表示の高精細化を図ることができるとともに、表示の明るさを向上できる。また、上記第１電極と対向配置される第２電極がストライプ状に構成されることによって、この第２電極そのものがもう一方の導電接続経路となるため、従来技術のように表示要素の片側に相互に交差する配線を共に配置する必要がなくなるため、さらに構造を簡易化することができる。したがって、表示要素の開口率をさらに向上させることができることから、表示の高精細化や明るさの向上をさらに図ることができる。さらに、第１乃至第３色の表示要素が一つずつ所定順となるように周期的に配置され、その配列方向である第１方向に第２電極がストライプ状に構成されていることにより、複数の第２電極が相互に等しい色構成の表示要素を駆動することになるため、第２電極に対する駆動負荷を均一化することができ、これによって導電経路の抵抗値設定の容易化や表示ムラの低減を図ることが可能になる。
【００１８】
次に、本発明のカラー表示装置は、第１色、第２色及び第３色の表示要素が所定の二次元配列パターンにて配列され、前記表示要素を制御するための対向配置された第１電極及び第２電極を有するカラー表示装置において、前記二次元配列パターンにおいては、第１方向に向けて前記第１色、第２色及び第３色の前記表示要素が一つずつ所定順で周期的に配列され、前記第１方向と直交する第２方向に向けて、連続する２つの前記第１色、１つの第２色及び１つの第３色の前記表示要素が順次に周期的に配列された２組の列が相互に半周期ずらして設けられるとともに、前記第２色及び第３色の前記表示要素が交互に配列された１組の列が設けられ、前記第１電極は前記表示要素に対応して設けられた画素電極であり、前記第２電極は前記第１方向に伸びるストライプ状に構成されることを特徴とする。
【００１９】
この発明によれば、第１色乃至第３色の表示要素が周期的に配列される第１方向と直交する第２方向に向けて、連続する２つの前記第１色、１つの第２色及び１つの第３色の前記表示要素が順次に周期的に配列される２組の列が相互に半周期ずらして設けられるとともに、第２色及び第３色の表示要素が交互に配列された１組の列が設けられることにより、同色の表示要素が直線状に配列されることがなくなるため、ストライプ配列のような直線的な表示ムラを大幅に低減することができる。また、上記第１電極と対向配置される第２電極がストライプ状に構成されることによって、この第２電極そのものがもう一方の導電接続経路となるため、従来技術のように表示要素の片側に相互に交差する配線を共に配置する必要がなくなるため、さらに構造を簡易化することができる。したがって、表示要素の開口率をさらに向上させることができることから、表示の高精細化や明るさの向上をさらに図ることができる。さらに、第１乃至第３色の表示要素が一つずつ所定順となるように周期的に配置され、その配列方向である第１方向に第２電極がストライプ状に構成されていることにより、複数の第２電極が相互に等しい色構成の表示要素を駆動することになるため、第２電極に対する駆動負荷を均一化することができ、これによって導電経路の抵抗値設定の容易化や表示ムラの低減を図ることが可能になる。
【００２０】
本発明において、前記第１色はＢ（青）であり、第２色及び第３色の一方はＧ（緑）、他方はＲ（赤）であることが好ましい。これによれば、二次元配列パターンにおいて第１色の表示要素が第２方向に配列されていることにより、第２方向に見ると第１色の表示要素の形成周期は、第２色及び第３色の表示要素の形成周期よりも大きくなるが、Ｂ（青）の光に対する視覚の角度分解能は、Ｇ（緑）やＲ（赤）の光に対する角度分解能よりも大きいため、第１色の表示要素が直線状に配列されていることに起因する表示ムラが低減されるとともに、高精細化を図りやすくなる。
【００２１】
本発明において、前記画素電極に接続された非線形素子と、該非線形素子を介して前記画素電極に接続された前記第２方向に伸びる配線とを有することが好ましい。これによれば、第２方向に伸びる配線及び非線形素子を介して画素電極を駆動することができるので、配線に沿った表示要素の列毎に選択動作を行い、選択された列内の各表示要素について第２電極の電位に応じた電界を印加することができるため、アクティブマトリクス動作を行うことができる。ここで、カラー表示装置の薄型化や低コスト化を図るためには、前記非線形素子は薄膜ダイオード素子であることが好ましい。
【００２２】
次に、本発明の電子機器は、上記のいずれかに記載のカラー表示装置と、該カラー表示装置を制御する制御手段とを有することを特徴とする。本発明のカラー表示装置を有することによって、カラー表示装置の小型化、高精細化、表示の明るさの向上、表示ムラの低減などに起因して、電子機器の小型化や表示品位の向上を図ることができる。したがって、本発明は、特に携帯型の電子機器に対して顕著な効果をもたらす。
【００２３】
【発明の実施の形態】
次に、添付図面を参照して本発明に係るカラー表示装置及び電子機器の実施形態について詳細に説明する。
【００２４】
［第１実施形態］
図１は本発明に係るカラー表示装置（カラー電気光学装置）の一例としての液晶表示装置２００の分解斜視図、図２は液晶表示装置２００の拡大部分断面図である。図１に示すように、液晶表示装置２００は、第１基板（カラーフィルタ基板）２１０と、第２基板（対向基板若しくは素子基板）２２０とを図示しないシール材を介して貼り合わせたものであり、これらの基板同士は、図２に示すスペーサＳＰによる規制によって３〜１０μｍ程度の適宜の間隔とされ、その内側に液晶ＬＣが封入されている。
【００２５】
第１基板２１０には、図１に示すように、第１基材２１１上に電極２１６が形成されている。電極２１６はたとえば図示例のように複数平行に配列され、全体としてストライプ状（縞状）に構成されている。より具体的には、第１基材２１１上に透明な下地層２１２が形成され、この下地層２１２上に光反射層２１３が形成されている。光反射層２１３には、図２に示す画素Ｐ毎に開口部２１３ａが形成されている。ここで、開口部２１３ａによって、表示要素Ｐ内に光透過部Ｐｔが設けられ、光反射層２１３によって光反射部Ｐｒが設けられている。なお、下地層２１２は必須のものではない。すなわち、下地層２１２の表面は微細な凹凸状（或いは粗面状）に構成され、この表面上に形成される光反射層２１３に光散乱性を付与するためのものであるため、光反射層２１３に光散乱性を付与しない場合や、基材表面をエッチングするなどによって凹凸状にするなどの別の方法で光散乱性を付与する場合には形成しない。
【００２６】
光反射層２１３及び開口部２１３ａ上には、第１着色部２１４Ｆと第２着色部２１４Ｃとを含む着色層２１４が形成される。ここで、光反射層２１３上には第１着色部２１４Ｆが形成され、上記開口部２１３ａ上には第２着色部２１４Ｃが形成される。これらの第１着色部２１４Ｆ及び第２着色部２１４Ｃは、染料や顔料などの着色材を含む樹脂等で構成される。ここで、表示要素Ｐ別に、異なる種類の色相を呈する（すなわち複数色の）着色層２１４が後述する所定の二次元配列パターンで配列されている。また、同一表示要素Ｐ内に配置された着色部２１４内の第１着色部２１４Ｆ及び第２着色部２１４Ｃは相互に同一種類の色相を呈するものとなっており、第１着色部２１４Ｆの光学濃度（Ｏｐｔｉｃａｌ  Ｄｅｎｓｉｔｙ）よりも、第２着色部２１４Ｃの光学濃度の方が高くなるように構成されている。すなわち、いずれかの表示要素Ｐ内の第１着色部２１４Ｆと第２着色部２１４Ｃとが複数種類の色相のうちのいずれか一つの同一種類の色相を共に有するが、その第１着色部２１４ＦのＹ値（ＸＹＺ表色系のＹ）は、第２着色部１４ＣのＹ値よりも大きくなるように構成される。たとえば、カラーフィルタがＲ（赤）、Ｇ（緑）、Ｂ（青）の３色で構成される場合には、これら３色の着色層２１４についてそれぞれ、第１着色部２１４Ｆは淡色のフィルタとなっており、第２着色部２１４Ｃは濃色のフィルタとして構成されている。
【００２７】
上記第１着色部２１４Ｆ及び遮光パターン２１４Ｂの上には、図２に示すように、透明な保護膜２１５が形成されている。この保護膜２１５は、通常は、カラーフィルタの各着色層を保護するとともに、表面を平滑化する目的で形成されるものである。本実施形態においても、そのような機能を期待して保護膜２１５を形成するわけであるが、この保護膜２１５は第１基板２１０の表面に段差を設けるための構成要素ともなっている。すなわち、保護膜２１５は、開口部２１３ａ上において形成されておらず、光反射層２１３上に選択的に形成されている。
【００２８】
本実施形態では、上記第２着色部２１４Ｃ及び保護膜２１５上に、ＩＴＯ等の透明導電体等で構成される透明な電極２１６が形成される。この電極２１６は、第２着色部２１４Ｃから段差を介して第１着色部２１４Ｆ（及び保護膜２１５）上にまで亘り一体に形成されている。電極２１６上には配向膜２１７が形成されている。
【００２９】
一方、第２基板２２０には、ガラスやプラスチック等で構成される第２基材２２１上に、Ｔａ等の金属などで上記配線２２２が形成されている。配線２２２上には、画素毎に素子構造（ダイオード素子）が形成され、この素子構造は上記電極２２５に接続されている。より具体的には、Ｔａ等で構成された配線２２２上に形成されたＴａ２Ｏ５等の絶縁膜２２３（図２参照）を介してＣｒ等で構成される対向端子２２４が接合され、この対向端子２２４がＩＴＯ等で構成される（画素）電極２２５に接続されている。上記素子構造は、配線２２２、絶縁膜２２３及び対向端子２２４のＭＩＭ（金属−絶縁体−金属）構造によって構成される。このＭＩＭ構造で構成される素子構造は、上記遮光部２１４Ｂが配置された画素間領域と平面的に重なるように配置されている。これらの上には、上記と同様の配向膜２２６が形成されている。
【００３０】
なお、上記第１基板２１０及び第２基板２２０の製造工程においては、電極や配線はスパッタリング法により形成することができる。また、上記素子構造の絶縁膜２２３は配線２２２の表面を陽極酸化法によって酸化することにより形成できる。着色層２１４を含むカラーフィルタは、ロールコータ法などによって着色した感光性レジストを塗布し、露光・現像を行うフォトリソグラフィ法を色毎に繰り返すことで形成できる。
【００３１】
液晶表示装置２００のパネル構造の背後には、図２に示すように、バックライト２４０が配置されている。また、パネル構造と、バックライト２４０との間には、偏光板２４１と位相差版２４２が順次配置され、また、パネル構造の前面にも、位相差版２４３と偏光板２４４が順次配置されている。なお、図示例の液晶表示装置２００では、上記液晶ＬＣによりＳＴＮモードの液晶層が構成されている場合について示してある。
【００３２】
この実施形態では、バックライト２４０から照射される光のうち、光透過部Ｐｔ、すなわち光反射層２１３の開口部２１３ａを通過する透過光Ｔによって透過型表示がなされる。また、外光がパネル内に入射して光反射部Ｐｒにおいて光反射層２１３により反射された反射光Ｒによって反射型表示がなされる。この場合、透過型表示を構成する透過光Ｔは、基本的に第２着色部２１４Ｃを１回だけ通過し、反射型表示を構成する反射光Ｒは、基本的に第１着色部２１４Ｆを２回通過する。したがって、第２着色部２１４Ｃと第１着色部２１４Ｆとをそれぞれ光学特性上最適化して形成しておくことによって、透過型表示と反射型表示の品位を大幅に改善できる。
【００３３】
また、本実施形態では、第２基板２１０の表面において光透過領域Ｐｔと光反射領域Ｐｒとの間に高低差が存在するので、この高低差に応じて表示要素Ｐ内に異なる液晶層の厚さを設けることができる。すなわち、光透過領域Ｐｔにおいて液晶層の厚さＧｔは大きく、光反射領域Ｐｔにおいて液晶層の厚さＧｒは小さい。これによって、液晶層を１回だけ通過する透過光Ｔに対する液晶層のリタデーション値を、液晶層を２回通過する反射光Ｒに対する液晶層のリタデーション値に近づけることができるため、透過型表示と反射型表示の品位を共に向上させることができる。より具体的には、両表示の明るさを改善できる。
【００３４】
なお、上記図示例では、各表示要素Ｐにおいて、着色層２１４に第１着色部２１４Ｆと第２着色部２１４Ｃとが設けられているが、単一の材料で均質の着色層２１４を形成しても構わない。いずれにしても、以下の説明においては、着色層２１４を、その内部構成如何を問わずに一体のものとして扱う。
【００３５】
図３は、上記液晶表示装置２００の平面構造を拡大した様子を模式的に示す概略平面図である。本実施形態では、表示要素Ｐ毎に着色層２１４が配置され、表示要素Ｐは縦横にマトリクス状に配列されている。表示要素Ｐ間には、必要に応じて遮光パターン２１４Ｂが配置されている。遮光パターン２１４Ｂは、黒色樹脂で形成されていてもよく、着色層２１４と同一材料で構成されていてもよい。後者の場合には、少なくとも着色層２１４上に重ねて配置されるか、或いは、異なる２色以上の材料が積層されたものとすることが好ましい。
【００３６】
図４は、本実施形態における複数色の表示要素Ｐの二次元配列パターンＣＰ１を模式的に示すパターン図である。この二次元配列パターンＣＰ１では、ストライプ状の電極２１６の延長方向である第１方向（図示左右方向）に向けて、複数の表示要素Ｐが配列されてなる各行において、Ｂ（青）の着色層２１４ｂ、Ｇ（緑）の着色層２１４ｇ、Ｒ（赤）の着色層２１４ｒが一つずつこの順で周期的に配列されている。また、第１方向と直交する第２方向（図示上下方向）に向けて、Ｂ（青）の着色層２１４ｂのみが配置された列と、Ｇ（緑）の着色層２１４ｇとＲ（赤）の着色層２１４ｒとが交互に配列された２組の列とが設けられている。ＧとＲが交互に配列された２組の列は、相互に第２方向に半周期ずらして設けられている。これらの３組の列は第１方向に周期的に配列されている。
【００３７】
この二次元配列パターンＣＰ１は、２行３列に亘る単位要素群ＣＰ１Ｇが縦横（すなわち第１方向と第２方向）にマトリクス状に配置されて成る。この単位要素群ＣＰ１Ｇにおいては、第１方向中央に２行に亘ってＢの表示要素（着色層２１４ｂ）が配置され、その第１方向前後において一組の対角位置（第１象限及び第３象限）にＧの表示要素（着色層２１４ｇ）が配置され、もう一組の対角位置（第２象限及び第４象限）にＲの表示要素（着色層２１４ｒ）が配置されている。
【００３８】
この二次元配列パターンＣＰ１においては、配線２２２を第２方向に沿って伸びるように形成することができる。すなわち、一つの配線２２２ｘによってＢの表示要素のみが配列されてなる一組の列に電位が供給され、他の二つの配線２２２ｙ，２２２ｚによってＲとＧが交互に配列されてなる２組の列に電位が供給されるように構成することによって、配線構造を複雑化することなく各表示要素を独立に制御駆動することができる。すなわち、本実施形態では、上記配線２２２ｘ、２２２ｙ、２２２ｚを第１方向に向けて周期的に配列形成することによって全ての表示要素に対して所望の駆動電圧を印加できる。
【００３９】
図６には、上記のように構成した本実施形態の等価回路を示す。ここで、複数の配線２２２と複数の電極２１６とが交差して格子状に構成され、各格子に対応して図示キャパシタ状に示された表示要素が配列されている。ここで、表示要素は、液晶ＬＣと、この液晶ＬＣを挟んで対向配置された電極２２５及び２１６と、上記カラーフィルタの着色層２１４とによって構成される。これらの表示要素は、上記素子構造によって構成される非線形素子（薄膜ダイオード）ＳＬＳを介して配線２２２に接続されている。本実施形態では、配線２２２は走査線駆動回路部ＳＬＤ１，ＳＬＤ２，・・・に接続された走査線であり、電極２１６は信号線駆動回路部ＤＬＤ１，ＤＬＤ２，・・・に接続された信号線となっている。したがって、走査線である配線２２２によって非線形素子（薄膜ダイオード素子）ＳＬＳを介して或る表示要素の列（図示縦方向の列）が選択されたときに、当該列に属する表示要素には、それぞれ信号線である電極２１６に供給される電位が印加され、この電位如何によって所定の表示態様が実現される。
【００４０】
図５には、上記二次元配列パターンＣＰ１の変形例である二次元配列パターンＣＰ１′を示す。ここで、図５には一つの単位要素群ＣＰ１Ｇ′のみを示してある。この二次元配列パターンＣＰ１′では、上記の二次元配列パターンＣＰ１における第２方向に２つ連続したＢの表示要素が一つのＢの表示要素に置き換わったものとなっている。このような単位要素群ＣＰ１Ｇ′を設けた場合には、Ｂの表示要素は、単位要素群ＣＰ１Ｇ′内に一つだけ設けられるのに対して、Ｒ及びＧの表示要素は、単位要素群ＣＰ１Ｇ′内にそれぞれ二つずつ設けられている。これによって、Ｂの表示要素の解像度は、ＲとＧの表示要素の解像度の２倍になる。しかしながら、視覚ではＢの光を感知する錐体（ｃｏｎｅ）の分布密度が小さいことから、視覚の角度分解能はＢの光に対してはＲとＧの光のほぼ２倍程度となっている。したがって、二次元配列パターンＣＰ１′において、ＲとＧの光に対する視覚の角度分解能よりもＲとＧの解像度が小さくなっていれば、Ｂの光についても支障なく連続画像として認識されることになる。換言すれば、上記二次元配列パターンＣＰ１′でも、何ら支障なく表示品位を高めることができ、また、Ｂの表示要素を無駄に細かく（すなわち小さな周期で）配列する必要もなしに、効率的に表示の高精細化を図ることができる。
【００４１】
図４に示す本実施形態の二次元配列パターンＣＰ１は、各表示要素がＲとＧの光に対する視覚の角度分解能よりも小さい周期となるように形成されていれば、図５に示す二次元配列パターンを構成した場合と同様の表示性能を得ることができる。すなわち、Ｂの表示要素が第２方向に配列されてなる列が選択された時点において、単位要素群ＣＰ１Ｇ内に含まれる２つのＢの表示要素に別々の電界が印加されるように駆動したときと、当該２つのＢの表示要素が実質的に一つの表示要素として駆動されるように第２方向に隣接する２つの電極２１６に相互に等しい電位を供給したときとの間に表示性能の差は生じない。
【００４２】
本実施形態では、Ｂの表示要素については第２方向に直線状に配列されているが、ストライプ配列のように全ての色が直線状に配列されているわけではないので、二次元配列パターンの態様に起因する表示品位の低下を低減できる。特に、直線状に配列されている表示要素がＢの表示要素であるので、Ｂの光に対する視覚の角度分解能が他の色の光に対する場合よりも悪いことを考慮すると、Ｂの表示要素が第２方向に向けて直線状に配列されていること（このことは、第１方向に見るとＢの表示要素の配列周期が大きくなることを意味する。）による表示品位への影響は他の色よりも小さくなる。
【００４３】
また、本実施形態では、二次元配列パターンＣＰ１において、第１方向に向けて３色の表示要素が一つずつ所定順にて周期的に配列されているので、第１方向に伸びる複数の電極２１６間の駆動負荷（すなわち信号線負荷）のばらつきが低減される。すなわち、全体としてストライプ状に形成された複数の電極２１６は、駆動すべき表示要素の色に関しては相互に均等な立場にあるため、表示要素の配列パターンに起因する駆動負荷のばらつきは存在しない。したがって、電極２１６の電極抵抗の設定などが簡易なものとなり、設計や製造が容易になる。また、各電極２１６間の駆動負荷のばらつきに起因する表示ムラの発生を低減することもできる。
【００４４】
［第２実施形態］
次に、図７を参照して、本発明に係る第２実施形態について説明する。この実施形態は、図７に示す二次元配列パターンＣＰ２以外の構成は全て第１実施形態と同様であるので、それらの説明は省略する。
【００４５】
この二次元配列パターンＣＰ２では、第１方向に向けてＢ、Ｇ，Ｒの表示要素が一つずつ順に配置される態様で周期的に配列されている。ただし、第１方向に伸びる各行は、隣接する行間において１／３周期ずつ交互に第１方向にずれるように配置される。また、第２方向に向けてＢとＧの表示要素が交互に配列された列、第２方向に向けてＧとＲの表示要素が交互に配列された列、第２方向に向けてＲとＢの表示要素が交互に配列された列が設けられている。これらの３つの列は第１方向に周期的に配列される。
【００４６】
この二次元配列パターンＣＰ２では、全ての色について、同色の表示要素が第２方向に向けて千鳥状（ジグザグ状）に配列されているため、同色の表示要素が直線状に配列されることがなくなり、その結果、表示品位を向上させることができる。
【００４７】
また、配線２２２は、Ｂ、Ｇ，Ｒのうちのいずれかの表示要素のみに接続された３組の配線２２２ｘ，２２２ｙ，２２２ｚで全ての表示要素に対して給電できるので、配線の取り回しが複雑化することなく、基本的にストライプ配列とほとんど同様に簡易な配線構造とすることができる。したがって表示要素の開口率を高めることができ、その結果、表示の高精細化を図ることができるとともに、表示を明るく構成できる。
【００４８】
さらに、上記第１実施形態と同様に、電極２１６間において駆動負荷（信号線負荷）を均一化することができ、これによって、設計や製造の容易化や表示ムラの低減を図ることができる。
【００４９】
［第３実施形態］
次に、図８を参照して、本発明に係る第３実施形態について説明する。この実施形態は、図８に示す二次元配列パターンＣＰ３以外の構成は全て第１実施形態と同様であるので、それらの説明は省略する。この二次元配列パターンＣＰ３では、第１方向に向けて３色の表示要素が一つずつ順に配列される態様で周期的に配置されている。ただし、第１方向に伸びる各行は、２種の異なる順番で３色の表示要素が一つずつ配列される２種の行パターンが２行ずつ交互に繰り返されるように構成されている。すなわち、図示例では、Ｂ，Ｇ，Ｒの順に周期的に配列される行と、Ｂ，Ｒ，Ｇの順で周期的に配列される行とが２行ずつ交互に第２方向に向けて配置されている。そして、第２方向に見ると、連続した２つのＢの表示要素、一つのＲの表示要素、一つのＧの表示要素が単位となって周期的に第２方向に配列された２組の列が相互に半周期第２方向にずれた態様で設けられ、また、ＧとＲの表示要素が第２方向に向けて交互に配列される列が設けられている。
【００５０】
この二次元配列パターンＣＰ３においても、上記二次元配列パターンＣＰ１と同様の単位要素群ＣＰ３Ｇが存在する。すなわち、この単位要素群ＣＰ３Ｇには、第１方向中央に２行に亘ってＢの表示要素（着色層２１４ｂ）が配置され、その第１方向前後において一組の対角位置（第１象限及び第３象限）にＧの表示要素（着色層２１４ｇ）が配置され、もう一組の対角位置（第２象限及び第４象限）にＲの表示要素（着色層２１４ｒ）が配置されている。ただし、上記第１実施形態では単位要素群ＣＰ１Ｇが縦横（すなわち第１方向と第２方向）にマトリクス状に配列されていたのに対して、この第３実施形態では、第２方向に隣接する２つの単位要素群ＣＰ３Ｇが第１方向に１／３周期ずれる態様で配列されている。
【００５１】
この実施形態では、上記第１実施形態とは異なり、Ｂの表示要素が直線状に配列されないため、全ての色の表示要素が直線状に配列されていないことになるため、表示品位をより画像表示に適したものとすることができる。
【００５２】
また、この二次元配列パターンＣＰ３では、Ｂの表示要素にのみ接続された１本の第２方向に伸びる配線２２２ｘと、ＧとＲに交互に接続された２本の第２方向に伸びる配線２２２ｙ，２２２ｚとの合計３種の配線で全ての表示要素に対して給電を行うことができる。したがって、配線の取り回しが複雑化することもない。
【００５３】
さらに、この二次元配列パターンＣＰ３においては、第１実施形態と同様の理由により、２つのＢの表示要素が隣接配置されていることが表示品位に影響しにくいため、表示品位の低下が抑制され、また、実質的な表示の高精細化が容易に実現できるという利点がある。
【００５４】
また、上記と同様に、電極２１６の駆動負荷（信号線負荷）が均一化されるため、設計及び製造の容易化並びに表示ムラの低減を図ることができる。
【００５５】
［電子機器］
最後に、図９及び図１０を参照して、本発明に係る電子機器の実施形態について説明する。この実施形態では、上記カラー表示装置（液晶表示装置２００）を表示手段として備えた電子機器について説明する。図９は、本実施形態の電子機器における液晶表示装置２００に対する制御系（表示制御系）の全体構成を示す概略構成図である。ここに示す電子機器は、表示情報出力源１２１０と、表示情報処理回路１２２０と、電源回路１２３０と、タイミングジェネレータ１２４０とを含む表示制御回路１２００を有する。また、上記と同様の液晶表示装置２００には、表示領域２００Ａを駆動する駆動回路２００Ｂが設けられている。この駆動回路２００Ｂは、通常、液晶パネルに直接実装されている半導体ＩＣチップ、パネル表面上に形成された回路パターン、或いは、液晶パネルに導電接続された回路基板に実装された半導体ＩＣチップ若しくは回路パターンなどによって構成される。
【００５６】
表示情報出力源１２１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されている。
【００５７】
表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給する。駆動回路２００Ｂは、走査線駆動回路、信号線駆動回路及び検査回路を含む。また、電源回路１２３０は、上述の各構成要素にそれぞれ所定の電圧を供給する。
【００５８】
図１０は、本発明に係る電子機器の一実施形態である携帯電話を示す。この携帯電話２０００は、ケース２０１０の内部に回路基板２００１が配置されている。ケース２０１０の表面には、操作部２０２０と、アンテナ２０３０と、受話部２０４０と、送話部２０５０と、表示部２０６０とが設けられている。操作部２０２０には複数の操作ボタンが配列され、受話部２０４０にはスピーカが内蔵され、送話部２０５０の内部にマイクが内蔵されている。また、表示部２０６０の内部には上記回路基板２００１に実装された液晶表示装置２００が配置されている。
【００５９】
尚、本発明は、上述の図示例にのみ限定されるものではなく、本発明の要旨を逸脱しない範囲内において種々変更を加え得ることは勿論である。たとえば、上記実施形態では、電気光学装置の一例として液晶表示装置２００について説明したが、本発明は液晶装置に限定されるものではなく、有機エレクトロルミネッセンス装置、プラズマディスプレイ装置、フィールドエミッション表示装置など、種々の電気光学装置にも適用できるものである。
【００６０】
また、上記実施形態は所定の二次元配列パターンを備えたカラーフィルタを有するものであるが、本発明はカラーフィルタを有する装置に限らず、所定の二次元配列パターンを有する発光パターンを備えた自己発光型の装置など、複数色の表示要素を含む二次元配列パターンを備えた種々の表示装置に対して広く適用できるものである。
【図面の簡単な説明】
【図１】カラー表示装置である液晶表示装置を模式的に示す分解斜視図。
【図２】液晶表示装置の拡大部分断面図。
【図３】液晶表示装置のカラーフィルタの平面形状を模式的に示す概略平面図。
【図４】第１実施形態の二次元配列パターンを示す平面図。
【図５】第１実施形態と等価になり得る二次元配列パターンの単位要素群を示す図。
【図６】第１実施形態の等価回路を示す回路図。
【図７】第２実施形態の二次元配列パターンを示す平面図。
【図８】第３実施形態の二次元配列パターンを示す平面図。
【図９】電子機器の表示系の構成を模式的に示す概略構成ブロック図。
【図１０】電子機器の外観を示す概略斜視図。
【図１１】典型的なカラーフィルタの二次元配列パターンであるストライプ配列を示す平面図（ａ）及びデルタ配列を示す平面図（ｂ）。
【図１２】斜めモザイク配列を示す平面図。
【符号の説明】
２００…液晶表示装置、２１０…第１基板、２１３…光反射層、２１３ａ…開口部、２１４（２１４ｂ、２１４ｇ、２１４ｒ）…着色層、２１６…電極（第２電極）、２２２…配線、２２５…画素電極（第１電極）、ＣＰ１，ＣＰ２，ＣＰ３…二次元配列パターン、ＣＰ１Ｇ，ＣＰ３Ｇ…単位要素群
【図１】
2004233523.tif 000003
【図２】
2004233523.tif 000004
【図３】
2004233523.tif 000005
【図４】
2004233523.tif 000006
【図５】
2004233523.tif 000007
【図６】
2004233523.tif 000008
【図７】
2004233523.tif 000009
【図８】
2004233523.tif 000010
【図９】
2004233523.tif 000011
【図１０】
2004233523.tif 000012
【図１１】
2004233523.tif 000013
【図１２】
2004233523.tif 000014